(57)【要約】【課題】指を完全囲繞しない簡単な構造でありながら、装着、着脱が容易であり、指姿勢の保持力を容易に調整できるところの指姿勢矯正装具を提供すること。【解決手段】指の先端を保持させて指を伸張姿勢に保持する指姿勢矯正装具であって、本体部は、その先端部の底部がせり上がって指の先端部に接当される略船底形状に構成され、指背面抑え部材の前側部が所定の圧力下で回動可能とするように枢支されており、前記指背面抑え部材を上方から押圧したときに前記支持杆を軸としてその後端部が下降して、その下降位置を保持するように構成されている。【選択図】図１
2015092960.tif 000002
【特許請求の範囲】
【請求項１】
指の先端部を下側から保持する本体部（１）を上面が開放された半割り状態に構成し、指の先端を保持させて指を伸張姿勢に保持する指姿勢矯正装具であって、前記本体部（１）は、その先端部（１A）の底部（１B）がせり上がって指の先端部に接当される略船底形状に構成され、前記本体部（１）の基端部（１C）の両外側部に係止部材（２A，２B）が設けられ、該一方の係止部材（２A）には、指の長手方向に沿う軸芯回り回動可能に支持杆（３）の一端部（３A）が枢支連結されると共に該支持杆（３）の他端部（３B）は、前記他方の係止部材（２B）に係止できるように、平面視略コの字形に湾曲形成されており、且つ、該支持杆（３）は弾性材で構成されており、コの字形の前記支持杆（３）には、指背面抑え部材（４）の前側部（４A）が所定の圧力下で回動可能とするように枢支されており、前記指背面抑え部材（４）を上方から押圧したときに前記支持杆（３）を軸としてその後端部（４B）が下降して、その下降位置を保持するように構成されている、ことを特徴とする指姿勢矯正装具。
【請求項２】
コの字形の前記支持杆（３）は、前記一端部（３A）及び他端部（３B）から上方に立ち上がる上向き湾曲部（３C）を備えており、且つ、両湾曲部（３C）を繋ぐ渡し部（３D）は、上向きに凸に湾曲形成され、該渡し部（３D）に前記指背面抑え部材（４）の前側部（４A）が枢支連結されており、前記支持杆（３）の前記一端部（３A）及び他端部（３B）が夫々前記係止部材（２A，２B）に係止された状態においては、前記指背面抑え部材（４）が指の背面を押圧する弾性力を発揮する構成とされている、ことを特徴とする請求項１に記載の指姿勢矯正装具。
【請求項３】
前記支持杆（３）に対する前記指背面抑え部材（４）の枢支連結は、前記指背面抑え部材（４）に設けた保持金具（５）のカシメ変形により行われ、所定の回動力が作用したときにその回動を許容する構成とされている、ことを特徴とする請求項１又は請求項２に記載の指姿勢矯正装具。
【請求項４】
前記本体（１）の基端部側の底部に、指の先端側に切れ込んだ円弧状の切り欠き部（１D）が形成され、指の屈曲を容易にするように構成されている、ことを特徴とする請求項１乃至請求項３の何れか一項に記載の指姿勢矯正装具。
【発明の詳細な説明】
【技術分野】
【０００１】
本発明は、指姿勢矯正装具に関するもので、具体的には、手指の腱の治療に用いる指姿勢矯正装具に関する。
【背景技術】
【０００２】
指姿勢矯正装具は、指の先端の腱の損傷を治療するに、指を伸張させた姿勢を保持させるために開発されたものであり、従来にあっては、指の伸張を保持した状態で添え木相当部材を当ててテープで巻回することで固定する、或いはギブス（石膏）により姿勢を固定する等の方式が採られてきた。指先の腱を損傷して放置すると、腱が収縮した状態で治癒されることになって、外観としては指先が曲がった状態の姿勢で固定されてしまう事態となる。
【先行技術文献】
【特許文献】
【０００３】
【特許文献１】特開昭６１−１１５５６０号公報
【特許文献２】実開平０１−０５０８１７号公報
【特許文献３】登録実用新案第３１０３３６６号公報
【発明の概要】
【発明が解決しようとする課題】
【０００４】
上述した従来技術の指装具としては、テープ固定方式であれ、ギブスであれ、指全体を常に囲繞し、固定しているため、簡便に着脱できず、手の洗浄、入浴時に不自由であり、また、汗を掻くと不快感があるといった欠点がある。また、指の治療の改善具合に応じて姿勢の調整を容易に行うことが出来難いといった不都合もある。
【０００５】
本発明は、かかる問題点に鑑み、指を完全囲繞しない簡単な構造でありながら、装着、着脱が容易であり、指姿勢の保持力を容易に調整できるところの指姿勢矯正装具を提供することを目的とする。
【課題を解決するための手段】
【０００６】
本発明にかかる指姿勢矯正装具は、上記目的を達成するために、指の先端部を下側から保持する本体部（１）を上面が開放された半割り状態に構成し、指の先端を保持させて指を伸張姿勢に保持する指姿勢矯正装具であって、前記本体部（１）は、その先端部（１A）の底部（１B）がせり上がって指の先端部に接当される略船底形状に構成され、前記本体部（１）の基端部（１C）の両外側部に係止部材（２A，２B）が設けられ、該一方の係止部材（２A）には、指の長手方向に沿う軸芯回り回動可能に支持杆（３）の一端部（３A）が枢支連結されると共に該支持杆（３）の他端部（３B）は、前記他方の係止部材（２B）に係止できるように、平面視略コの字形に湾曲形成されており、且つ、該支持杆（３）は弾性材で構成されており、コの字形の前記支持杆（３）には、指背面抑え部材（４）の前側部（４A）が所定の圧力下で回動可能とするように枢支されており、前記指背面抑え部材（４）を上方から押圧したときに前記支持杆（３）を軸としてその後端部（４B）が下降して、その下降位置を保持するように構成されている、ことを特徴とする。
【０００７】
本発明に言う指姿勢矯正装具とは、人体の手指に装着し、専ら指の靭帯損傷を治療するために、指を伸張姿勢で保持させるためのものである。靭帯損傷の治療には、突き指のような靭帯の異常伸張や、その他の手術を伴う靭帯断裂の術後治療といったものも含まれる。
【発明の効果】
【０００８】
本発明にかかる指姿勢矯正装具によれば、指を完全囲繞しない簡単な構造でありながら、装着、着脱が容易であり、指姿勢の保持力を容易に調整できるところの指姿勢矯正装具を提供することができる利点がある。本発明にかかるその他の効果は、以下の実施例の説明から明らかとなろう。
【図面の簡単な説明】
【０００９】
【図１】本発明にかかる指姿勢矯正装具を装着した状態の斜視図。
【図２】本発明にかかる指姿勢矯正装具を装着した状態の平面図。
【図３】本発明にかかる指姿勢矯正装具を装着した状態の側面図。
【図４】本発明にかかる指姿勢矯正装具の一使用形態を示す正面図。
【図５】本発明にかかる指姿勢矯正装具の上方から見た分解斜視図。
【図６】本発明にかかる指姿勢矯正装具の下方から見た分解斜視図。
【図７】本発明にかかる指姿勢矯正装具の指への装着の一工程を示す正面図。
【図８】本発明にかかる指姿勢矯正装具の指への装着の一工程を示す正面図。
【図９】本発明にかかる指姿勢矯正装具の指への装着の一工程を示す正面図。
【図１０】本発明にかかる指姿勢矯正装具の指への装着の一工程を示す側面図。
【図１１】本発明にかかる指姿勢矯正装具の一部変形例１の一使用状態を示す側面図。
【図１２】本発明にかかる指姿勢矯正装具の一部変形例１の一使用状態を示す側面図。
【図１３】本発明にかかる指姿勢矯正装具の一部変形例２の一使用状態を示す側面図。
【図１４】本発明にかかる指姿勢矯正装具の一部変形例２の一使用状態を示す側面図。
【図１５】本発明にかかる指姿勢矯正装具の一部変形例３の一使用状態を示す側面図。
【図１６】本発明にかかる指姿勢矯正装具の一部変形例３の一使用状態を示す側面図。
【発明を実施するための形態】
【００１０】
本発明においては、コの字形の前記支持杆（３）は、前記一端部（３A）及び他端部（３B）から上方に立ち上がる上向き湾曲部（３C）を備えており、且つ、両湾曲部（３C）を繋ぐ渡し部（３D）は、上向きに凸に湾曲形成され、該渡し部（３D）に前記指背面抑え部材（４）の前側部（４A）が枢支連結されており、前記支持杆（３）の前記一端部（３A）及び他端部（３B）が夫々前記係止部材（２A，２B）に係止された状態においては、前記指背面抑え部材（４）が指の背面を押圧する弾性力を発揮する構成とされている、ことが好ましい。
【００１１】
このように、コの字形の前記支持杆による弾性力によって指背面抑え部材を附勢する構成であり、該支持杆が指背面抑え部材の前方部に枢支される構成であるので、指背面抑え部材を指操作で姿勢変更調整することで、指先に対する附勢力を容易に、微妙に調整できる。
【００１２】
前記支持杆（３）に対する前記指背面抑え部材（４）の枢支連結は、前記指背面抑え部材（４）に設けた保持金具（５）のカシメ変形により行われ、所定の回動力が作用したときにその回動を許容する構成とされている、ことが好ましい。このように、指背面抑え部材の枢支連結は、保持金具のカシメ変形による簡単な構造で実施するので、製造コストを大幅に抑制できる。
【００１３】
前記本体（１）の基端部側の底部に、指の先端側に切れ込んだ円弧状の切り欠き部（１D）が形成され、指の屈曲を容易にするように構成されている、ことが好ましい。このように、切り欠き部が形成されることで、指の付け根部側の腹側の当たりが無くなり、指の付け根部側の曲がりを許容できて、指先の靭帯に関わりない指の付け根部の屈伸を容易にし、使い勝手が良くなる。
【実施例】
【００１４】
本発明にかかる指姿勢矯正装具の好適実施例について、図面を参照して以下詳述する。図１乃至図６に示すように、この指姿勢矯正装具は、指の先端部を下側から保持する本体部１を上面が開放された半割り状態に構成し、指の先端を保持させて指を伸張姿勢に保持する指姿勢矯正装具である。具体的には、前記本体部１は、その先端部１Aの底部１Bがせり上がって指の先端部に接当される略船底形状に構成されている。この本体部１は、合成樹脂の成型によって構成されるが、ここでは、合成樹脂として、EVA樹脂またはポリエチレン樹脂を用いているが、この種の成型に適した適宜の公知の樹脂を用いてよい。
【００１５】
そして、前記本体部１の基端部１Cの両外側部に金具で構成された係止部材２A，２Bが設けられ、該一方の係止部材２Aには、指の長手方向に沿う軸芯回り回動可能に支持杆３の一端部３Aが枢支連結されると共に該支持杆３の他端部３Bは、前記他方の係止部材２Bに係止できるように、平面視略コの字形に湾曲形成されており、且つ、該支持杆３は弾性材、ここでは、ピアノ線またはステンレス製の線材で構成されている。
【００１６】
コの字形の前記支持杆３には、指背面抑え部材４の前側部４Aが所定の圧力下で回動可能とするように枢支されており、前記指背面抑え部材４を上方から押圧したときに前記支持杆３を軸としてその後端部４Bが下降して、その下降位置を保持するように構成されている。この指背面抑え部材４は、樹脂成型でパッド状に形成されたものであり、指先の背面に接当されるに適した形状に構成されている。
【００１７】
更に、コの字形の前記支持杆３は、前記一端部３A及び他端部３Bから上方に立ち上がる上向き湾曲部３Cを備えており、且つ、両湾曲部３Cを繋ぐ渡し部３Dは、上向きに凸に湾曲形成され、該渡し部３Dに前記指背面抑え部材４の前側部４Aが枢支連結されており、前記支持杆３の前記一端部３A及び他端部３Bが夫々前記係止部材２A，２Bに係止された状態においては、前記指背面抑え部材４が指の背面を押圧する弾性力を発揮する構成とされている。
【００１８】
また、前記支持杆３に対する前記指背面抑え部材４の枢支連結は、前記指背面抑え部材４に設けた保持金具５のカシメ変形により行われ、所定の回動力が作用したときにその回動を許容する構成とされている。そして、前記本体１の基端部側の底部に、指の先端側に切れ込んだ円弧状の切り欠き部１Dが形成され、指の屈曲を容易にするように構成されている。
【００１９】
（作用）
上記構成の指姿勢矯正装具は、次のようにして用いられる。図７に示すように、先ず、前記本体部１の基端部１Cの両外側部に設けられた一方の係止部材２Bに係止された支持杆３の他端部３Bの係合状態を、この支持杆３を僅かに下方に押し下げて解除する。これによって、支持杆３は、その一端部３Aの枢支部を回動軸として、上方に回倒させて、指を本体部１に対して挿入乃至載置することを可能にする。
【００２０】
次いで、図８に示すように、前記本体部１の先端部１Aの底部１Bに指先が接当する状態で指を本体部１に載置させる。次いで、図９に示すように、前記支持杆３の一端部３Aの枢支部を回動軸として、今度は下方に回倒させて、前記指背面抑え部材４が指先の背面部に接当する状態で押さえ込む。そして、前記支持杆３の他端部３Bを再度前記他方の係止部材２Bに係止させて位置固定する。
【００２１】
この後、図１０に示すように、前記指背面抑え部材４の後側部４Bを上方から押し下げて、指先の背面を押圧すると、前記指背面抑え部材４の前側部４Aが枢支連結されていることで、所謂スイングするように変位し、指先の腱を伸ばした姿勢を得ることができる。この際、前記指背面抑え部材４の前側部４Aの支持杆３の枢支は所定の摩擦力で保持される構成であるので、格別の外力を作用させない限り、上述した変位姿勢が自動的に維持され得る。
【００２２】
このようにして指への装着が行われるが、上述した前記指背面抑え部材４に対する押圧力を強弱調整することで指の腱に対する伸張を調整することができる。
【００２３】
（一部変形例の１）
図１１及び図１２は、上記実施例における指背抑え部材４と支持杆３の構成の一部変形例を示し、両者の保持位置を変更できるようにすることで、前記指背抑え部材４の指背面に対する支持杆３の押圧力を調整できるようにしている。即ち、指背抑え部材４の前側部４Aには、支持杆３を保持する保持金具４aが設けられ、この保持金具４aが指の付け根、先端方向に２位置の保持凹部４b, 4cを備えており、前記支持杆３を前後方向に強制移動させることで、その２位置を選択できる構成とされている。勿論、前記保持金具４aは、合成樹脂成型で構成しても良いものである。
【００２４】
図１１及び図１２は、前記支持杆３が、指の付け根側に位置する凹部4bに嵌め込み、前記指背抑え部材４を根元側に変位させた状態とすることで、指先に対する抑え力を小さくできるようにし、図１２に示すのは、前記支持杆３を、指の先端側に位置する凹部4ｃに嵌め込み、前記指背抑え部材４を指先側に変位させた状態とすることで、指先に対する抑え力を大きくできるようにしている。
【００２５】
（一部変形例の２）
図１３及び図１４は、同様に上記実施例における指背抑え部材４と支持杆３の構成の一部変形例を示すもので、ここでは、支持杆３の押圧力を調整するのに、保持金具４aに代え、ネジ６を用い、前記指背抑え部材４を上下に重ねた上下の２部材４−１及び４−２で構成し、両者にネジ６を螺合させて、ネジ６の回動で両者を離間、即ち、前記支持杆３を保持する上側の部材４−１を下側の部材４−２に対して相対的に上動させるようにし、前記支持杆３を僅かに上下の方向で変形させ、その反力を高め、以って、前記指背抑え部材４に対する抑え力をアップさせるように構成されている。その抑え力は、当然ながら前記ネジ６を回動させ、前記上下２部材４−１及び４−２を接近させることで弱めることができる。このような調整をネジ６で行うことで、指背面に対する押圧力の調整は、微細に行うことが可能である。
【００２６】
（一部変形例の３）
図１５及び図１６は、同様に上記実施例における指背抑え部材４と支持杆３の構成の一部変形例を示すもので、ここでは、支持杆３の押圧力を調整するのに、前記支持杆３の係止部材２A，２Bに対する係止位置を変更することで行うものである。ここでは、前記係止部材２A，２Bを、上下の２位置、即ち、指の厚み方向に２段階になる上下係止位置２a, 2bを持つように形成し、これらに選択的に係止できるように構成している。即ち、図１５に示すように、前記支持杆３を上係止位置２aに係止させると、指に対する押さえ圧力は小さくなり、図１６に示すように、下係止位置２bに係止させると、支持杆３の指背面に対する押圧力は大きくなる。勿論、前記上下係止位置２a, 2bを、２段ではなく、３段、或いは必要に応じて更に段数を増やして実施しても良い。
【産業上の利用可能性】
【００２７】
本発明にかかる指姿勢矯正装具は、指への装着、着脱が容易でありながら、指全体を囲繞するものではなく、快適に使用可能であり、また、治癒に応じた指の伸張姿勢を容易に調整できて、突き指、指の腱断裂などの治癒に対し、その適用範囲は広いものである。
【符号の説明】
【００２８】
１：本体部
１A：先端部
１B：底部
１C：基端部
１D：切り欠き部
２A：係止部材
２B：係止部材
３：支持杆
３A：一端部
３B：他端部
３C：湾曲部
３D：概渡し部
４：指背面抑え部材
４A：前側部
４B：後端部
５：保持金具
【図１】
2015092960.tif 000003
【図２】
2015092960.tif 000004
【図３】
2015092960.tif 000005
【図４】
2015092960.tif 000006
【図５】
2015092960.tif 000007
【図６】
2015092960.tif 000008
【図７】
2015092960.tif 000009
【図８】
2015092960.tif 000010
【図９】
2015092960.tif 000011
【図１０】
2015092960.tif 000012
【図１１】
2015092960.tif 000013
【図１２】
2015092960.tif 000014
【図１３】
2015092960.tif 000015
【図１４】
2015092960.tif 000016
【図１５】
2015092960.tif 000017
【図１６】
2015092960.tif 000018